(57)【要約】【課題】  ＲＦＩＤタグ付きのウォレット型パッケージの提供。【解決手段】  凸形状の樹脂シート内に錠剤またはカプセル剤を格納し、背面をアルミ箔によりコートして格納する薬剤格納部１０４を含むＰＴＰ包装体１０３と、該ＰＴＰ包装体１０３を収納するための背表紙２０２を含む３面から成る札入れ形状を成し、且つアルミ箔がコートされたウォレット型パッケージ１０２と、該ウォレット型パッケージ１０２の背表紙２０２に、アンテナを含み且つウォレット型パッケージ１０２の背表紙２０２にＲＦＩＤタグ１０１を設け、該ＲＦＩＤタグ１０１が取り付けられたウォレット型パッケージの背表紙の幅Ｗｍが、前記アンテナの幅Ｗａの１倍乃至１．５倍に設定したＲＦＩＤシステム。【選択図】  図１
2008084026.tif 000002
【特許請求の範囲】
【請求項１】
樹脂単体で、又は樹脂と金属材料が積層形成され、物体を格納する格納部を含むＰＴＰ包装体と、該ＰＴＰ包装体を収納するための表紙と背表紙と裏表紙を含む札入れ形状を成し、且つ少なくとも背表紙に沿って金属材料が設置されたウォレット型パッケージと、長尺状のアンテナを含むＲＦＩＤタグとから構成されるＲＦＩＤタグシステムであって、
前記ウォレット型パッケージの背表紙の長手方向に沿ってＲＦＩＤタグを設け、該ＲＦＩＤタグが取り付けられたウォレット型パッケージの背表紙の幅Ｗｍを、前記アンテナの幅Ｗａの１倍乃至１．５倍に設定したことを特徴とするＲＦＩＤタグシステム。
【請求項２】
少なくとも一面を金属材料によりコートして物体を格納する格納部を含むＰＴＰ包装体と、該ＰＴＰ包装体を収納するための表紙と背表紙と裏表紙を含む札入れ形状を成すウォレット型パッケージと、長尺状のアンテナを含むＲＦＩＤタグとから構成されるＲＦＩＤタグシステムであって、
前記ウォレット型パッケージの表紙または裏表紙と連続して前記パッケージの他の面を閉じ且つ非導電性の材料から成る第１フリップ面を設け、該第１フリップ面の長手方向に沿って該ＲＦＩＤタグを取り付けたことを特徴とするＲＦＩＤタグシステム。
【請求項３】
少なくとも一面を金属材料によりコートして物体を格納する格納部を含むＰＴＰ包装体と、該ＰＴＰ包装体を収納するための表紙と背表紙と裏表紙を含む札入れ形状を成すウォレット型パッケージと、長尺状のアンテナを含むＲＦＩＤタグとから構成されるＲＦＩＤタグシステムであって、
前記ウォレット型パッケージの裏表紙と連続して前記パッケージの他の面を閉じる第１フリップ面と、該第１フリップ面と連続して前記表紙を被う金属材料が設置された第２フリップ面とを設け、前記第２フリップ面と対向する表紙に第１のＲＦＩＤタグを設けたことを特徴とするＲＦＩＤタグシステム。
【請求項４】
前記背表紙に金属材料を設置すると共に、該背表紙の金属材料上に第２のＲＦＩＤタグを設け、該背表紙の幅Ｗｍを、前記アンテナの幅Ｗａの１倍乃至１．５倍に設定したことを特徴とする請求項３記載のＲＦＩＤタグシステム。
【発明の詳細な説明】
【技術分野】
【０００１】
本発明は、錠剤、カプセル剤等をアルミ箔等の金属材料を含む包装体により梱包し且つ非金属製容器、特にウォレット型（札入れ型）の容器に収納した製品に対して、ＲＦＩＤ（Ｒａｄｉｏ  Ｆｒｅｑｕｅｎｃｙ  ＩＤｅｎｔｉｆｉｃａｔｉｏｎ、無線周波の電磁波を用いた非接触個別識別技術）タグを付したＲＦＩＤタグシステムに係り、特にウォレット型パッケージに取り付けたＲＦＩＤタグからの情報を高精度で読み取ることができるウォレット型パッケージ用ＲＦＩＤタグシステムに関する。
【背景技術】
【０００２】
一般にＲＦＩＤタグは、ＲＦＩＤチップと呼ばれる集積回路にＩＤ番号もしくはそれと同等な識別情報を内蔵し、ＲＦＩＤチップに接続されたアンテナを経由して、外部から無線手段によりその情報を読み取るものである。このＲＦＩＤタグの用途の一つとしては、製品のトレースシステムが知られている。このトレースシステムは、例えば製造工程または流通過程の必要時にＲＦＩＤタグと通信装置が交信し、得られたＩＤコード／日時／交信場所からＲＦＩＤタグが添付されている製品の製造履歴や流通履歴を追跡し、管理するものである。
【０００３】
特に医薬品の分野においては、製造工程での品質管理、流通過程での真贋判定、薬局での誤販売防止、市場での不良発生時のフィードバック等、前記トレースシステムを用いた製品の履歴を個別に管理することが望まれている。
【０００４】
前記ＲＦＩＤタグを用いたトレースシステムの従来技術としては、例えば下記特許文献が挙げられ、特許文献１には、薬品に取り付けられたＲＦＩＤタグの情報を販売の際に読み取ってその薬品名を端末に表示し、また処方箋データと比較することにより、誤った薬品がユーザーに渡るのを防止するシステムが記載され、特許文献２には、薬品に取り付けられたＲＦＩＤタグの情報を薬品棚から入出庫する際に読み取り、薬品棚の在庫管理を行うシステムが記載されている。
【０００５】
また、これらのシステムを信頼性良く稼働させるためには、添付されたＲＦＩＤタグの情報を確実に読み取る必要があり、この読取手法に関する文献としては、建設資材であるコンクリート製のヒューム管に対し、添付するＲＦＩＤタグの読み取り精度向上のため、ＲＦＩＤタグのアンテナを読み取りに適した方向性を持って埋め込む治具が記載されている特許文献３や、同じく読み取り精度向上のため、製品の姿勢に関わらずＲＦＩＤタグのアンテナの姿勢を読み取りに適した一定の方向に保つ機構が記載されている特許文献４や、箱の外側に表示を設けて箱の内側に貼られたＲＦＩＤタグの位置を示し、読み取り精度が高くなる読み取り箇所を指定する方式が記載された特許文献５及び６が挙げられる。
【０００６】
【特許文献１】特開２００３−２３３６７３号公報
【特許文献２】特開２００３−２９２１２３号公報
【特許文献３】特開２０００−９１９６３号公報
【特許文献４】特開２００３−５８８４３号公報
【特許文献５】特開２００４−１１５０５７号公報
【特許文献６】特開２００４−１９１４８１号公報
【発明の開示】
【発明が解決しようとする課題】
【０００７】
一般に医薬品の主要な形態としては錠剤及びカプセル剤があり、これら錠剤及びカプセル剤の個別梱包の代表的な例としてＰＴＰ（Ｐｒｅｓｓ  Ｔｈｒｏｕｇｈ  Ｐａｃｋａｇｅ）包装体が知られている。このＰＴＰ包装体は、ＰＶＣ（Ｐｏｌｙ  Ｖｉｎｙｌ  Ｃｈｌｏｒｉｄｅ、ポリ塩化ビニール）、ＰＰ（Ｐｏｌｙ  Ｐｒｏｐｙｌｅｎｅ、ポリプロピレン）等の樹脂と金属材料（アルミ箔）と樹脂とを積層形成し、凸形状に突出したの格納部の中にこれらの医薬品を入れ、背面をアルミ箔で封印し、使用者が凸形状の格納部を指で押すことにより、アルミ箔を破って錠剤等を取り出すように構成されている。現在市販されている錠剤やカプセル剤の包装形態としては９０％以上が当該ＰＴＰ包装体である。また、このＰＴＰ包装体は、樹脂シート側部分の防湿性がアルミ箔側と比較して劣るため、ＰＴＰ包装体の背面（取り出し面）だけでなく、凸部側にもアルミ箔をコートした両面アルミＰＴＰ包装体を形成しているものもある。前記ＰＴＰ包装体は、樹脂と金属材料（アルミ箔）とを積層形成したものであって、例えば樹脂とアルミ泊とを加熱圧着することによって製造されるものである。
【０００８】
更に、医薬品の他の形態としては、前記ＰＴＰ包装体をウォレット型と呼ばれる背表紙を含む札入れ形状をした紙パッケージに収納するものが知られている。
【０００９】
前述の従来技術による錠剤またはカプセル剤を梱包したＰＴＰ包装体を収納するウォレット型パッケージは、前記パッケージにＲＦＩＤタグを付した場合、アルミ箔等の金属材料が用いられているため、ＲＦＩＤタグの通信に使われる電磁波に影響を及ぼし、データの読み取り精度を著しく悪化させると言う不具合があった。
一方、書き込み可能なＲＦＩＤタグの場合、医薬品を服用している患者の情報などを書き込み、現物の医薬品と併せて管理できる等のメリットがある。しかし、離れた位置から無線式でその情報を読み取れるＲＦＩＤタグの特徴の故に、患者やその治療データといった個人情報が、関係者の意図とは無関係に読み取られ、流出してしまう危険性があった。
【００１０】
本発明の目的は、前述の従来技術による不具合や危険性を除去することであり、アルミ箔等の金属材料を用いたＰＴＰ包装体を収納するウォレット型パッケージであっても、通信装置側と良好に交信を行うことができ、また、容易にその内部の情報を保護することができるウォレット型パッケージ用ＲＦＩＤタグシステムを提供することである。
【課題を解決するための手段】
【００１１】
前記目的を達成するために本発明は、樹脂単体で、又は樹脂と金属材料が積層形成され、物体を格納する格納部を含むＰＴＰ包装体と、該ＰＴＰ包装体を収納するための表紙と背表紙と裏表紙を含む札入れ形状を成し、且つ少なくとも背表紙に沿って金属材料が設置されたウォレット型パッケージと、長尺状のアンテナを含むＲＦＩＤタグとから構成されるＲＦＩＤタグシステムにおいて、前記ウォレット型パッケージの背表紙の長手方向に沿ってＲＦＩＤタグを設け、該ＲＦＩＤタグが取り付けられたウォレット型パッケージの背表紙の幅Ｗｍを、前記アンテナの幅Ｗａの１倍乃至１．５倍に設定したことを第１の特徴とする。
【００１２】
また本発明は、少なくとも一面を金属材料によりコートして物体を格納する格納部を含むＰＴＰ包装体と、該ＰＴＰ包装体を収納するための表紙と背表紙と裏表紙を含む札入れ形状を成すウォレット型パッケージと、長尺状のアンテナを含むＲＦＩＤタグとから構成されるＲＦＩＤタグシステムにおいて、  前記ウォレット型パッケージの表紙または裏表紙と連続して前記パッケージの他の面を閉じ且つ非導電性の材料から成る第１フリップ面を設け、該第１フリップ面の長手方向に沿って該ＲＦＩＤタグを取り付けたことを第２の特徴とする。
【００１３】
更に本発明は、少なくとも一面を金属材料によりコートして物体を格納する格納部を含むＰＴＰ包装体と、該ＰＴＰ包装体を収納するための表紙と背表紙と裏表紙を含む札入れ形状を成すウォレット型パッケージと、長尺状のアンテナを含むＲＦＩＤタグとから構成されるＲＦＩＤタグシステムにおいて、前記ウォレット型パッケージの裏表紙と連続して前記パッケージの他の面を閉じる第１フリップ面と、該第１フリップ面と連続して前記表紙を被う金属材料が設置された第２フリップ面とを設け、前記第２フリップ面と対向する表紙に第１のＲＦＩＤタグを設けたことを第３の特徴とする。
【００１４】
また本発明は、前記第３の特徴のＲＦＩＤタグシステムにおいて、前記背表紙に金属材料を設置すると共に、該背表紙の金属材料上に第２のＲＦＩＤタグを設け、該背表紙の幅Ｗｍを、前記アンテナの幅Ｗａの１倍乃至１．５倍に設定したことを第４の特徴とする。
【発明の効果】
【００１５】
本発明によるウォレット型パッケージ用ＲＦＩＤタグシステムは、例えばアルミ箔を含むＰＴＰ包装体が形成する平面（表紙及び裏表紙）と、該平面と直交する平面（背表紙）にＲＦＩＤタグを設置し、前記背表紙の幅Ｗｍを、前記アンテナの幅Ｗａの１倍乃至１．５倍に設定したことにより、ＲＦＩＤタグと通信装置間の情報の送受信を確保することができる。更に本発明によるウォレット型パッケージ用ＲＦＩＤタグシステムは、前記表紙または裏表紙と連続して前記パッケージの他の面を閉じ且つ非導電性の材料から成る第１フリップ面と、該第１フリップ面と連続して前記表紙を被う導電性の材料が配置された第２フリップ面を設け、前記第２フリップ面の表紙と向かい合う面にＲＦＩＤタグを取り付けたことによって、前記第２フリップの開閉状態によってＲＦＩＤタグとの交信を有効か無効かに制御することができる。この制御により、意図しないＲＦＩＤタグ上のデータの流出を阻止することが出来る。この様に本発明によるＲＦＩＤタグシステムは、パッケージに添付されたＲＦＩＤタグとの交信を低廉なコストで精度良く読み取り、書き込みを行うことができる。
【発明を実施するための最良の形態】
【００１６】
以下、本発明の一実施形態によるウォレット型パッケージ用ＲＦＩＤタグシステムを図面を参照して説明する。図１は本発明の第１の実施形態によるＲＦＩＤタグシステムを構成するパッケージの概略構成を示す図、図２は図１に示す実施形態によるパッケージの部分断面図、図３はＲＦＩＤタグの構成を示す正面図、図４はアルミ箔上に設置されたＲＦＩＤタグを示す正面図、図５はアルミ箔上に設置されたＲＦＩＤタグとの最大交信可能距離を、アルミ箔の幅ＷｍとＲＦＩＤタグのアンテナの幅Ｗａとの比を変化させて測定した結果を示すグラフ、図６は本発明の第２の実施形態によるＲＦＩＤタグシステムを構成するパッケージの概略構成を示す部分断面図、図７は本発明の第３の実施形態によるＲＦＩＤタグシステムを構成するパッケージの概略構成を示す部分断面図、図８は理想的な状態で電磁波を受信した時のインレット上に流れる電流分布Ｉを示すグラフである。尚、本願においては、ＲＦＩＤチップと該ＲＦＩＤチップと接続されるアンテナと該ＲＦＩＤチップ及びアンテナとを一体的に搭載する基材とを組み合わせたものをインレットと呼び、このインレットに保護フィルムや取り付け用の接着剤等のユーティリティを付したものをＲＦＩＤタグと呼び、このＲＦＩＤタグが取り付けられた最小単位の製品（例えばウォレット型パッケージ）をＲＦＩＤシステムと呼ぶ。
【００１７】
また、本願発明の対象となるウォレット型パッケージは、表紙/背表紙/裏表紙と金属材料とを積層形成する一例として、表紙/背表紙/裏表紙へアルミ箔をコートしたものがある。後述する実施形態中では、状況を具体的に理解しやすくする目的で、表紙/背表紙/裏表紙の面に金属材料が設置された状況を「アルミ箔によりコートされた」と記述する箇所もあるが、この記述により本願特許請求の範囲における金属材料がアルミに限定されるものではない。また、本願特許請求の範囲における金属材料の形状が箔に限定されることはなく、金属材料の設置方式がコートに限定されることもない。
【００１８】
＜第１の実施形態＞
本発明の一実施形態によるウォレット型パッケージ用ＲＦＩＤタグシステムは、図１及び図２に示す如く、凸形状の樹脂シート内に錠剤またはカプセル剤を格納し、背面をアルミ箔によりコートして格納する薬剤格納部１０４を含むＰＴＰ包装体１０３と、該ＰＴＰ包装体１０３を収納する札入れ形状、即ち裏表紙２０１と背表紙２０２と表紙２０３とから成るウォレット型のパッケージ１０２と、同パッケージ１０２の背表紙部分に設置されたＲＦＩＤタグ１０１とから構成される。
【００１９】
前記ウォレット型のパッケージ１０２は、その断面を図２に示す如く、裏表紙２０１／背表紙２０２／表紙２０３の各内面にはアルミ箔がコートされたＰＴＰシートが存在し、前記ＲＦＩＤタグ１０１は、図３に示す如く、長尺直線状のＲＦＩＤタグ基材（ポリイミド等）３０３上に、長尺状のＲＦＩＤタグアンテナ部３０２と長方形のＲＦＩＤチップ３０１とを搭載して構成される。
【００２０】
本実施形態によるＲＦＩＤタグシステムは、ウォレット型のパッケージ１０２の背表紙２０２にＲＦＩＤタグ１０１を配置したものであって、図４に示す如く、幅Ｗｍのアルミ箔４０１上に、幅Ｗａのアンテナ部３０２を有するＲＦＩＤタグを長手方向に沿って貼り付けて成り、前記幅ＷｍがＲＦＩＤタグ１０１のアンテナ部分の幅Ｗａの１．５倍乃至１倍（「１倍」は同一幅であることを意味する）になる様に設定されている。換言すれば、アンテナ部３０２の短手方向の幅Ｗａがアルミ箔４０１の幅Ｗｍの２／３乃至１倍（上限値の「１倍」は同一幅であることを意味する）になる様に設定している。
【００２１】
ここで、一般に金属材料上にＲＦＩＤタグを設置した状態では、金属材料の影響によりＲＦＩＤタグの感度が低下し、ＲＦＩＤタグの最大交信可能距離が短くなることが知られているが、本願発明者らは、金属材料上にＲＦＩＤタグを設置した場合であっても、その金属材料が及ぼす影響度が、当該金属材料とＲＦＩＤアンテナの幅の比率により異なることを発見した。
【００２２】
これを説明すると、発明者らは、厚さ０．５ｍｍのアルミ薄板を金属材料として用い、ＲＦＩＤタグのアンテナ部分の幅Ｗａに対するアルミ薄板の幅Ｗｍとの幅比（Ｒｗ＝Ｗｍ／Ｗａ）［横軸］を変化させ（長手方向寸法は変化させない）、最大交信可能距離［縦軸］を測定した。その結果は、図５に示す如く、幅比Ｒｗがゼロ（アルミ薄板が存在しない状態）において最大交信可能距離が最も大きくなり、幅比Ｒｗが大きくなるに従い緩やかに低下、幅比Ｒｗ≒１．５で約２０％の感度低下となった後、幅比Ｒｗのさらなる増加に伴い急激に感度が低下することを発見した。換言すれば、幅比Ｒｗ≦１．５とすることで、急激な感度の低下を避けることが出来ることを発見した。
【００２３】
発明者らは、前述の実験結果を基に本願発明の対象となるウォレット型パッケージにＲＦＩＤタグを設けるＲＦＩＤタグシステムを検討した結果、前述の図４に示す如く、前述のアンテナ部分の幅Ｗａに対してウォレット型パッケージの背表紙２０２部分の幅Ｗｍが１．５倍程度に抑える様に設計することによって、アルミ箔（金属材料）上であっても急激な最大交信距離の低下を避けてＲＦＩＤタグの交信に支障が生じない本願発明を成した。
【００２４】
尚、前述した実験に用いた通信装置は、株式会社日立超ＬＳＩシステムズ製ＲＦＩＤリーダ／ライタ装置ＭＳ６５０２ＲＷＥＡ（定格出力３００ｍＷ）及び同装置専用４パッチアンテナ（円偏波、利得１４ｄＢｉ）を使用した。また、今回の実験における通信プロトコルは、ＩＳＯ１８０００−４ドラフト版準拠を用い、転送レート４０ｋｂｐｓにて測定を行った。
【００２５】
また、前述の図５に示した実験は、アンテナ部分の幅Ｗａとウォレット型パッケージの背表紙部分幅Ｗｍの比に対する最大交信可能距離の変化を検証するために行ったものである。これら両幅の検証の実験を行った理由は、ＲＦＩＤタグシステム側のアンテナに対してアンテナ長手方向に沿って存在する金属材料が、受信感度に主に影響することを本願発明者らが発見したことに基づくものである。この理由を次に説明する。
まず、理想的な状態で電磁波を受信した時のインレット上に流れる電流分布Ｉは、横軸にインレットの長尺方向の位置、縦軸に電流値Ｉを座標軸８０１に示すＸの方向の位置とした図８に示す如く、ＲＦＩＤチップ３０１の位置（グラフ上Ｃ点）で最大となり、この状態のとき、インレットは最大感度で受信を行うことができる。この状態を共振状態という。
【００２６】
ＲＦＩＤタグが最大感度で交信を行うためには、共振状態を維持することが重要であり、そのためには、インレット上のＸ方向の電流分布を維持しなくてはならない。図示の如くインレットと平行な位置（図中Ｘ方向の位置）に金属材料８０２を配置した場合、金属材料がアンテナに沿って存在するため、金属材料のＸ方向の各地点がインレットのアンテナ３０２上の電流分布に対して連続的に影響を及ぼし、その影響が積分されて感度が大きく低下する特性がある。一方、インレットの延長線上（図中Ｙ方向）に金属材料８０３を配置した場合は、金属材料とアンテナとの距離が大きくなるため、共振状態にとって重要なインレットのアンテナ上の電流分布に連続的な影響を及ぼせず、感度が大きく低下しない特性があることが判明した。
そこで、発明者らは図中Ｙ方向に配置された金属材料８０２の大きさ（Ｙ方向の幅）に着目し、配置された金属材料の影響が、その幅によってどの程度変化するかを検証するために前述の図５にて説明した実験を行ったものである。
【００２７】
この様に本願発明の第１の実施形態によるウォレット型パッケージ用ＲＦＩＤタグシステムは、ウォレット型パッケージの背表紙部分のアンテナ部分の幅Ｗａに対する金属材料の幅Ｗｍとの幅比（Ｒｗ＝Ｗｍ／Ｗａ）を１．５以下（下限値は、例えば両幅が同一な「１」）にすることによって、ＲＦＩＤタグがＲＦＩＤリーダ／ライタのアンテナ（図示せず）と良好に交信を行うことができる。
【００２８】
＜第２の実施形態＞
前記第１の実施形態においては、ウォレット型パッケージの背表紙部分にＲＦＩＤタグを配置する例を説明したが、本願発明はこれに限られず、ウォレット型パッケージの他の部分にＲＦＩＤタグを配置することもでき、この他の実施形態を次に説明する。
【００２９】
この第２の実施形態によるウォレット型パッケージ用ＲＦＩＤタグシステムは、図６に示す如く、凸形状の樹脂内に錠剤またはカプセル剤を格納し、裏面をアルミ箔によりコートして格納する薬剤格納部１０４を含むＰＴＰ包装体１０３と、裏表紙２０１／背表紙２０２／表紙２０３並びに表紙２０３から連続して延びて前記パッケージのもう一つの面を閉じ、且つ非導電性の材料から成る第１フリップ面６０１を持つパッケージ１０２と、該パッケージ１０２の第１フリップ面６０１上に設置されたＲＦＩＤタグ１０１とから構成される。尚、前記フリップ面とは、裏表紙２０１／背表紙２０２／表紙２０３の各紙葉類に追加して設けられた紙葉類を言うが、紙に限られるものではない。
【００３０】
本実施形態によるウォレット型パッケージ用ＲＦＩＤタグシステムは、基本が３面から成るウォレット型パッケージに紙等の非導電性材料で作られた第１フリップ面６０１を追加し、この第１フリップ面６０１にＲＦＩＤタグ１０１をその長手方向に沿って搭載した。これにより、ＲＦＩＤタグ１０１が背面のアルミ箔からの影響を受けることなく、ＲＦＩＤタグがＲＦＩＤリーダ／ライタのアンテナ（図示せず）と良好に交信を行うことができる。尚、この第１フリップ面６０１に搭載したＲＦＩＤタグ１０１近傍に表紙２０３及び裏表紙２０１にコートされたアルミ箔が存在するが、これらアルミ箔によるＲＦＩＤタグへの影響は、アンテナが形成する平面と平行な平面に沿った面をもつアルミ箔からの影響に比べて著しく小さいため、良好な感度を維持することができる様に構成されている。
＜第３の実施形態＞
【００３１】
また本発明の他の実施形態によるウォレット型パッケージ用ＲＦＩＤタグシステムは、図７に示す如く、凸形状に樹脂シートを形成した格納部内に錠剤またはカプセル剤を格納し裏面をアルミ箔によりコートして格納する薬剤格納部１０４を含むＰＴＰ包装体１０３と、裏表紙２０１／背表紙２０２／表紙２０３／第１フリップ面２０５／第２フリップ面７０１とを持つパッケージ１０２と、該パッケージ１０２の前記表紙２０３上に設置されたＲＦＩＤタグ７０２と、前記背表紙２０２に搭載したＲＦＩＤタグ１０１とから構成される。前記背表紙２０２／裏表紙２０１／第１フリップ面２０５／第２フリップ面７０１は、アルミ箔がコートされ、前記表紙２０３は非導電性材料（例えば紙）だけから成る様に構成されている。
【００３２】
前記背表紙２０２に搭載したＲＦＩＤタグ１０１は、図４に示した第１の実施形態の背表紙同様に、幅Ｗｍのアルミ箔４０１上に、幅Ｗａのアンテナ部３０２を有するＲＦＩＤタグを貼り付けて構成され、前記幅ＷｍがＲＦＩＤタグ１０１のアンテナ部分の幅Ｗａの１倍乃至１．５倍になる様に設定されている。
【００３３】
本実施形態によるウォレット型パッケージ用ＲＦＩＤタグシステムは、ウォレット型パッケージの非導電性の表紙２０３にＲＦＩＤタグ７０２を搭載すると共に、アルミ箔がコートされた第１フリップ面２０５及び第２フリップ面７０１を設け、該第２フリップ面７０１が表紙２０３に重なる様に構成されている。このウォレット型パッケージ用ＲＦＩＤタグシステムは、ＰＴＰ包装体１０３の周囲をアルミ箔がコートされた背表紙２０２／裏表紙２０１／第１フリップ面２０５／第２フリップ面７０１で被うことによって防湿性を確保している。
【００３４】
このウォレット型パッケージ用ＲＦＩＤタグシステムは、第２フリップ面７０１を開いた状態においてはＲＦＩＤタグ７０２を用いた安定した交信を行うことができ、第２フリップ面７０１を閉じた状態においてはＲＦＩＤタグ７０２上を第２フリップ面７０１のアルミ箔が覆うことにより交信を行うことができない状態になる。即ち、本実施形態によるＲＦＩＤタグシステムは、第２フリップ面７０１の開け閉めにより、ＲＦＩＤタグの動作を制御することが可能となる。また前記ＲＦＩＤタグ１０１は、図４に示した実施形態同様に、常に外部との交信を行うことができる。これにより、製造データや流通データのような常時トレースが好ましいデータに対してはＲＦＩＤ１０１からデータが容易に読み取れ、保護が必要なデータに関しては、ＲＦＩＤタグ７０２に書き込むなど、用途や情報の性格に応じた使い分けが出来るようになる。
尚、本実施形態によるＲＦＩＤタグシステムは、表紙２０３をアルミ箔でコートすると共に第２フリップ面７０１を非伝導性材料で形成し、該第２フリップ面７０１側にＲＦＩＤタグ７０１を搭載する様に構成しても良い。また、前述のＰＴＰ包装体は、樹脂単体シートに凸形状の格納部を形成し、この収納部をアルミ箔により封止したものであっても良い。
【００３５】
また、前記各実施形態においては、凸形状の樹脂シート内に錠剤またはカプセル剤を格納し、背面をアルミ箔によりコートして格納する薬剤格納部１０４を含むＰＴＰ包装体１０３を例にとって説明したが、前記凸形状の樹脂部分までアルミ箔によりコートしたＰＴＰ包装体にも適用することができる。
【００３６】
この様に本発明によるＲＦＩＤタグシステムでは、防湿性を確保しつつ、アルミ箔（金属材料）を含む梱包体を収納するパッケージに対しても、安定な交信と確実な制御を行うことができる。
【産業上の利用可能性】
【００３７】
前述の実施形態においては医薬品である錠剤やカプセル剤等を梱包するウォレット型のパッケージを例にとって説明したが、本発明によるＲＦＩＤタグシステムは医薬品用に限られるものではなく、ＰＴＰ包装体とウォレット型のパッケージとを組み合わせた他のパッケージ、例えば菓子類等の食品にも広く適用することができる。また、ＰＴＰ包装体に限らず、アルミ箔等の金属材料を含む包装体材料により梱包されたパッケージ製品全般に適用することもできる。
【図面の簡単な説明】
【００３８】
【図１】本発明の第１の実施形態によるＲＦＩＤタグシステムを構成するパッケージの概略構成を示す図。
【図２】図１に示す実施形態によるパッケージの部分断面図。
【図３】ＲＦＩＤタグの構成を示す正面図。
【図４】アルミ箔上に設置されたＲＦＩＤタグを示す正面図。
【図５】アルミ箔上に設置されたＲＦＩＤタグとの最大交信可能距離を、アルミ箔の幅ＷｍとＲＦＩＤタグのアンテナの幅Ｗａとの比を変化させて測定した結果を示すグラフ。
【図６】本発明の第２の実施形態によるＲＦＩＤタグシステムを構成するパッケージの概略構成を示す部分断面図。
【図７】本発明の第３の実施形態によるＲＦＩＤタグシステムを構成するパッケージの概略構成を示す部分断面図。
【図８】理想的な状態で電磁波を受信した時のインレット上に流れる電流分布Ｉを示すグラフ。
【符号の説明】
【００３９】
１０１：ＲＦＩＤタグ、１０２：ウォレット型パッケージ、１０３：ＰＴＰ包装体、１０４：薬剤格納部、２０１乃至２０３：面、３０１：ＲＦＩＤチップ、３０２：タグアンテナ部、３０３：ＲＦＩＤタグ基材、４０１：アルミ箔、６０１：第１フリップ面、２０５：第１フリップ面、７０１：第２フリップ面、７０２：ＲＦＩＤタグ７０２、８０１：座標軸、８０２：金属材料、８０３：金属材料。
【図１】
2008084026.tif 000003
【図２】
2008084026.tif 000004
【図３】
2008084026.tif 000005
【図４】
2008084026.tif 000006
【図５】
2008084026.tif 000007
【図６】
2008084026.tif 000008
【図７】
2008084026.tif 000009
【図８】
2008084026.tif 000010